(57)【要約】【課題】従来の電源回路は、制御電源生成回路にＤＣ２８３Ｖの第２直流電圧を印加するために、降圧トランス、第２整流回路、及び第２平滑回路からなる専用部品を使用しているので、部品コストが増大している。【解決手段】本発明による電源回路は、電圧調整回路４の第１抵抗素子Ｒ１に並列に制御電源生成回路９を接続し、前記電圧調整回路４の第１及び第２抵抗素子Ｒ１，Ｒ２で第１直流電圧Ｖ１を分圧した第２直流電圧Ｖ２が前記制御電源生成回路９に印加されるようにする構成である。【選択図】図１
2010068568.tif 000002
【特許請求の範囲】
【請求項１】
交流電圧源（１）に接続された整流回路（２）と、
前記整流回路（２）の出力間で互いに直列に接続された第１及び第２コンデンサ（Ｃ１，Ｃ２）からなり、前記整流回路（２）の出力を平滑する平滑回路（３）と、
前記第１コンデンサ（Ｃ１）に並列に接続された第１抵抗素子（Ｒ１）、及び前記第２コンデンサ（Ｃ２）に並列に接続されるとともに前記第１抵抗素子（Ｒ１）に直列に接続された第２抵抗素子（Ｒ２）からなり、前記第１及び第２コンデンサ（Ｃ１，Ｃ２）に印加される電圧のバランスを調整する電圧調整回路（４）と、
前記電圧調整回路（４）に並列に接続され、前記整流回路（２）及び前記平滑回路（３）で直流変換された第１直流電圧（Ｖ１）が印加される駆動電源（５）と
を含む電源回路において、
前記電圧調整回路（４）の前記第１抵抗素子（Ｒ１）に並列に接続された制御電源生成回路（９）と、
前記電圧調整回路（４）の前記第２抵抗素子（Ｒ２）に並列に接続されるとともに前記制御電源生成回路（９）に直列に接続された第３抵抗素子（Ｒ３）と
を備え、
前記第１抵抗素子（Ｒ１）に前記制御電源生成回路（９）が並列に接続されることによる前記電圧調整回路（４）の抵抗値バランスのくずれが前記第３抵抗素子（Ｒ３）により補償され、前記電圧調整回路（４）の第１及び第２抵抗素子（Ｒ１，Ｒ２）で前記第１直流電圧（Ｖ１）が分圧された第２直流電圧（Ｖ２）が前記制御電源生成回路（９）に印加されることを特徴とする電源回路。
【発明の詳細な説明】
【技術分野】
【０００１】
本発明は、電源回路に関し、特に、電圧調整回路の第１抵抗素子に並列に制御電源生成回路を接続し、前記電圧調整回路の第１及び第２抵抗素子で第１直流電圧を分圧した第２直流電圧が前記制御電源生成回路に印加されるように構成することで、降圧トランス等の専用部品を大幅に省略でき、部品コストを削減できるようにするための新規な改良に関するものである。
【背景技術】
【０００２】
社内技術で特に特許出願を行っていないため文献名は挙げていないが、従来用いられていたこの種の電源回路は、図２に示すように構成されている。図２は、従来の電源回路を示す回路図である。図において、ＡＣ４００Ｖの交流電圧を出力する交流電圧源１には、駆動電源系１００と制御電源系２００とが接続されている。
【０００３】
駆動電源系１００には、第１整流回路２と、第１平滑回路３と、電圧調整回路４と、駆動電源５とが含まれている。
前記第１整流回路２は、前記交流電圧源１の出力に接続されたダイオードブリッジからなり、交流電圧源１の出力を全波整流する。前記第１平滑回路３は、前記第１整流回路２の出力間で互いに直列に接続された第１及び第２コンデンサＣ１，Ｃ２からなり、前記整流回路２の出力を平滑する。前記電圧調整回路４は、前記第１コンデンサＣ１に並列に接続された第１抵抗素子Ｒ１と、前記第２コンデンサＣ２に並列に接続されるとともに前記第１抵抗素子Ｒ１に直列に接続された第２抵抗素子Ｒ２とから構成されており、前記第１及び第２コンデンサＣ１，Ｃ２に印加される電圧を調整する。前記駆動電源５は前記電圧調整回路４に並列に接続されており、この駆動電源５には、前記第１整流回路２及び前記第１平滑回路３で直流変換されたＤＣ５６６Ｖの第１直流電圧Ｖ１が印加される。この駆動電源５は、前記第１直流電圧Ｖ１を図示しない駆動機器に供給する。
【０００４】
前記制御電源系２００には、降圧トランス６と、第２整流回路７と、第２平滑回路８と、制御電源生成回路９とが含まれている。
前記降圧トランス６は、前記交流電圧源１の出力に接続されており、前記交流電圧源１の出力をＡＣ４００ＶからＡＣ２００Ｖに降圧する。前記第２整流回路７は、前記降圧トランス６の出力に接続されており、前記降圧トランス６の出力を全波整流する。前記第２平滑回路８は、前記第２整流回路７の出力間に接続された第３コンデンサＣ３からなり、前記第２整流回路７の出力を平滑する。前記制御電源生成回路９は、前記第２平滑回路８に並列に接続されており、この制御電源生成回路９には、前記第２整流回路７及び前記第２平滑回路８で直流変換されたＤＣ２８３Ｖの第２直流電圧Ｖ２が印加されている。この制御電源生成回路９は、前記第２直流電圧Ｖ２を図示しない制御機器に供給する。
【０００５】
なお、前記第２平滑回路８が１つのコンデンサで構成されているのに対して、前記第１平滑回路３が２つのコンデンサで構成されているのは、前記第１平滑回路３に印加される電圧が高く、１つのコンデンサでは耐圧が足りないためである。前記第１及び第２コンデンサＣ１，Ｃ２に印加される電圧を前記電圧調整回路４で調整するのは、第１及び第２コンデンサＣ１，Ｃ２の印加電圧のバランスが漏れ電流によってくずれることを防止するためである。
【発明の開示】
【発明が解決しようとする課題】
【０００６】
上記のような従来の電源回路では、制御電源生成回路９にＤＣ２８３Ｖの第２直流電圧Ｖ２を印加するために、降圧トランス６、第２整流回路７、及び第２平滑回路８からなる専用部品を使用しているので、部品コストが増大している。
【０００７】
本発明は、上記のような課題を解決するためになされたものであり、その目的は、降圧トランス等の専用部品を大幅に省略でき、部品コストを削減できる電源回路を提供することである。
【課題を解決するための手段】
【０００８】
本発明に係る電源回路は、交流電圧源に接続された整流回路と、前記整流回路の出力間で互いに直列に接続された第１及び第２コンデンサからなり、前記整流回路の出力を平滑する平滑回路と、前記第１コンデンサに並列に接続された第１抵抗素子、及び前記第２コンデンサに並列に接続されるとともに前記第１抵抗素子に直列に接続された第２抵抗素子からなり、前記第１及び第２コンデンサに印加される電圧のバランスを調整する電圧調整回路と、前記電圧調整回路に並列に接続され、前記整流回路及び前記平滑回路で直流変換された第１直流電圧が印加される駆動電源とを含む電源回路において、前記電圧調整回路の前記第１抵抗素子に並列に接続された制御電源生成回路と、前記電圧調整回路の前記第２抵抗素子に並列に接続されるとともに前記制御電源生成回路に直列に接続された第３抵抗素子とを備え、前記第１抵抗素子に前記制御電源生成回路が並列に接続されることによる前記電圧調整回路の抵抗値バランスのくずれが前記第３抵抗素子により補償され、前記電圧調整回路の第１及び第２抵抗素子で前記第１直流電圧が分圧された第２直流電圧が前記制御電源生成回路に印加される。
【発明の効果】
【０００９】
本発明の電源回路によれば、電圧調整回路の第１抵抗素子に並列に制御電源生成回路を接続し、前記電圧調整回路の第１及び第２抵抗素子で第１直流電圧を分圧した第２直流電圧が制御電源生成回路に印加されるので、降圧トランス等の専用部品を大幅に省略でき、部品コストを削減できる。また、専用部品の省略により、全体の回路構成を小さくでき、設置スペースを小さくできる。
【発明を実施するための最良の形態】
【００１０】
以下、本発明を実施するための最良の形態について、図面を参照して説明する。
実施の形態１．
図１は、本発明の実施の形態１による電源回路を示す回路図である。なお、従来の電源回路と同一又は同等部分については同一の符号を用いて説明する。図において、ＡＣ４００Ｖの交流電圧を出力する交流電圧源１には、ダイオードブリッジからなる整流回路２が接続されており、この整流回路２は交流電圧源１の出力を全波整流する。前記整流回路２の出力には、前記整流回路２の出力間で互いに直列に接続された第１及び第２コンデンサＣ１，Ｃ２からなる平滑回路３が接続されており、この平滑回路３は前記整流回路２の出力を平滑する。
【００１１】
前記平滑回路３には電圧調整回路４が並列に接続されており、この電圧調整回路４は、前記第１コンデンサＣ１に並列に接続された第１抵抗素子Ｒ１と、前記第２コンデンサＣ２に並列に接続されるとともに前記第１抵抗素子Ｒ１に直列に接続された第２抵抗素子Ｒ２とから構成されている。この電圧調整回路４は、前記第１及び第２コンデンサＣ１，Ｃ２の印加電圧のバランスが漏れ電流によってくずれることを防止するために、前記第１及び第２コンデンサＣ１，Ｃ２に印加される電圧を調整するものである。
【００１２】
前記電圧調整回路４には駆動電源５が並列に接続されており、この駆動電源５には、前記整流回路及び前記平滑回路で直流変換されたＤＣ５６６Ｖの第１直流電圧Ｖ１が印加される。この駆動電源５は、前記第１直流電圧Ｖ１を図示しない駆動機器に供給する。
【００１３】
前記電圧調整回路４の前記第１抵抗素子Ｒ１には制御電源生成回路９が並列に接続されており、この制御電源生成回路９には、前記電圧調整回路４の第１及び第２抵抗素子Ｒ１，Ｒ２で前記第１直流電圧Ｖ１が分圧された第２直流電圧Ｖ２が印加される。すなわち、第１及び第２抵抗素子Ｒ１，Ｒ２の抵抗値を等しくすることで、前記制御電源生成回路９にＤＣ２８３Ｖの第２直流電圧Ｖ２を印加できる。この制御電源生成回路９は、前記第２直流電圧Ｖ２を図示しない制御機器に供給する。これにより、降圧トランス等の専用部品を大幅に省略でき、部品コストを削減できる。
【００１４】
ここで、前記第１抵抗素子Ｒ１に制御電源生成回路９が並列に接続されると、前記電圧調整回路４における前記第１抵抗素子Ｒ１の見かけ上の抵抗値（前記第１抵抗素子Ｒ１と制御電源生成回路９との合成抵抗）が前記第２抵抗素子Ｒ２の抵抗値に対して小さくなってしまい、前記第１及び第２コンデンサに印加される電圧のバランスがくずれる可能性がある。
【００１５】
そこで、前記第１抵抗素子Ｒ１に制御電源生成回路９が並列に接続されることによる前記電圧調整回路４の抵抗値バランスのくずれを補償するために、前記電圧調整回路４の前記第２抵抗素子Ｒ２に並列かつ前記制御電源生成回路９に直列に第３抵抗素子Ｒ３が接続されている。すなわち、この第３抵抗素子Ｒ３としては、前記制御電源生成回路９と同じ負荷を有する抵抗素子が用いられる。これにより、前記第１抵抗素子Ｒ１に前記制御電源生成回路９を並列に接続することによる前記電圧調整回路４の抵抗値バランスのくずれを防止でき、前記制御電源生成回路９に印加する前記第２直流電圧Ｖ２を安定させることができる。
【図面の簡単な説明】
【００１６】
【図１】本発明の実施の形態１による電源回路を示す回路図である。
【図２】従来の電源回路を示す回路図である。
【符号の説明】
【００１７】
１  交流電圧源
２  整流回路
３  平滑回路
４  電圧調整回路
５  駆動電源
９  制御電源生成回路
Ｃ１，Ｃ２  第１及び第２コンデンサ
Ｒ１〜Ｒ３  第１〜３抵抗素子
Ｖ１，Ｖ２  第１及び第２直流電圧
【図１】
2010068568.tif 000003
【図２】
2010068568.tif 000004